(57)【要約】  無線通信機は、作業車と携帯端末とを無線接続する通信制御部と、作業車の車載ネットワークに接続され、作業車を識別するための作業車識別情報を、作業車から取得する取得部と、作業車識別情報に基づいて第１文字列データを生成する生成部と、生成された第１文字列データをネットワーク名として通信制御部に設定する設定部と、を備える。
2019146679.tif 000002
【特許請求の範囲】
【請求項１】
作業車と携帯端末とを無線接続する通信制御部と、
前記作業車の車載ネットワークに接続され、前記作業車を識別するための作業車識別情報を、前記作業車から取得する取得部と、
前記作業車識別情報に基づいて第１文字列データを生成する生成部と、
生成された前記第１文字列データをネットワーク名として前記通信制御部に設定する設定部と、を備える無線通信機。
【請求項２】
前記無線通信機を識別するための第２文字列データを記憶する記憶部と、
生成された前記第１文字列データを前記ネットワーク名として前記通信制御部に設定する第１モードと、記憶された前記第２文字列データを前記ネットワーク名として前記通信制御部に設定する第２モードと、を選択可能な選択部と、を更に備え、
前記設定部は、前記選択部において前記第１モードが選択されている場合に、生成された前記第１文字列データを前記ネットワーク名として前記通信制御部に設定する、請求項１に記載の無線通信機。
【請求項３】
前記作業車にコネクタを介して着脱可能に接続される無線ユニットである、請求項１または２に記載の無線通信機。
【請求項４】
前記取得部は、前記作業車の始動後、前記作業車識別情報を取得し、
前記生成部は、取得された前記作業車識別情報に基づいて前記第１文字列データを生成し、
前記設定部は、生成された前記第１文字列データが、すでに前記通信制御部に設定されたネットワーク名と異なる場合に、生成された前記第１文字列データを前記通信制御部に設定する、請求項１〜３の何れか一項に記載の無線通信機。
【請求項５】
前記取得部は、前記作業車識別情報を取得する前、前記車載ネットワークを介して前記作業車の作業車情報制御器に、前記作業車識別情報の送信を要求するための要求信号を送信する、請求項１〜４の何れか一項に記載の無線通信機。
【請求項６】
前記取得部は、前記作業車の作業車情報制御器から前記車載ネットワークに定期的に送信される前記作業車識別情報を取得する、請求項１〜４の何れか一項に記載の無線通信機。
【請求項７】
前記通信制御部は、前記設定部により前記ネットワーク名が設定された後、設定された前記ネットワーク名を含む情報を、前記携帯端末が受信可能な情報として、定期的にブロードキャストする、請求項１〜６の何れか一項に記載の無線通信機。
【請求項８】
車載ネットワークと、前記車載ネットワークに接続され、前記作業車を識別するための作業車識別情報を記憶する記憶部と、を有する作業車本体と、
請求項１〜７の何れか一項に記載の無線通信機と、を備える作業車。
【請求項９】
請求項８に記載の作業車と、
前記無線通信機を介して、前記作業車に無線接続される携帯端末と、を備える作業車の無線通信システム。
【発明の詳細な説明】
【技術分野】
【０００１】
本発明は、無線通信機、作業車、および、作業車の無線通信システムに関する。
【背景技術】
【０００２】
特許文献１には、作業機と携帯端末との間で無線通信を行うシステムが開示されている。このシステムは、作業機に設けられたアクセスポイント装置と携帯端末との間で無線通信を確立する。アクセスポイント装置には、ネットワーク名（ＳＳＩＤ）が設定されている。使用者が携帯端末においてＳＳＩＤを指定することで、このＳＳＩＤに対応するアクセスポイント装置と携帯端末との無線通信を確立できる。
【先行技術文献】
【特許文献】
【０００３】
【特許文献１】特開２０１４−４２５０８号公報
【発明の概要】
【発明が解決しようとする課題】
【０００４】
特許文献１のシステムでは、携帯端末の使用者が、目的の作業機に設けられたアクセスポイント装置のＳＳＩＤを知っている必要がある。使用者がＳＳＩＤを知らなければ、作業機と携帯端末との間の無線通信を確立できず、システムを利用できない。【０００５】
また、一般にＳＳＩＤにはアクセスポイント装置自体を識別する文字列が設定される。それゆえ、ＳＳＩＤからはアクセスポイント装置が設けられた作業機を特定できない。したがって、特に複数の作業機が存在する場合、目的の作業機と無線通信するためにはいずれのＳＳＩＤを選択すればよいのか、使用者にとって分かりづらい。【０００６】
本発明の目的は、作業車と携帯端末との無線通信の設定を容易に行うことができる無線通信機、作業車、および、作業車の無線通信システムを提供することである。
【課題を解決するための手段】
【０００７】
本発明に係る無線通信機の一態様は、作業車と携帯端末とを無線接続する通信制御部と、作業車の車載ネットワークに接続され、作業車を識別するための作業車識別情報を、作業車から取得する取得部と、作業車識別情報に基づいて第１文字列データを生成する生成部と、生成された第１文字列データをネットワーク名として通信制御部に設定する設定部と、を備える。【０００８】
本発明に係る作業車の一態様は、車載ネットワークと、車載ネットワークに接続され、作業車を識別するための作業車識別情報を記憶する記憶部と、を有する作業車本体と、上述の無線通信機と、を備える。【０００９】
本発明に係る作業車の無線通信システムの一態様は、上述の作業車と、無線通信機を介して、作業車に無線接続される携帯端末と、を備える。
【発明の効果】
【００１０】
本発明によれば、作業車と携帯端末との無線通信の設定を容易に行うことができる無線通信機、作業車、および、作業車の無線通信システムを提供できる。
【図面の簡単な説明】
【００１１】
【図１】図１は、本発明の第１実施形態に係る無線通信システムのブロック図である。
【図２】図２は、第１実施形態における、無線通信機によるネットワーク名の設定処理を示すフローチャートである。
【図３】図３は、第２実施形態における、無線通信機によるネットワーク名の設定処理を示すフローチャートである。
【発明を実施するための形態】
【００１２】
次に、本発明の実施形態を図面に基づき説明する。
〔第１実施形態〕
図１に示すように、本発明の第１実施形態に係る無線通信システムＡは作業車１と携帯端末３との間で無線通信を行うシステムである。作業車１として移動式クレーン、高所作業車、軌陸車、および、油圧ショベルなどの建設機械が挙げられる。
【００１３】
（作業車）
まず、作業車１の構成を説明する。
作業車１は、車載ネットワーク１１を有する。作業車１の車載ネットワーク１１の数は、特に限定されず、１つでもよいし複数でもよい。なお、作業車１における、後述の無線通信機２のエレメント以外の部分は、作業車本体の一例に該当すると捉えてもよい。
【００１４】
車載ネットワーク１１には、作業車１に搭載された種々の車載機器が接続されている。車載ネットワーク１１は、複数の車載機器を相互に接続する通信線などで構成されている。車載ネットワーク１１の通信プロトコルは、特に限定されないが、ＣＡＮ（Controller AreaNetwork）、ＬＩＮ（Local Interconnect Network）、および、ＦｌｅｘＲａｙなどが挙げられる。
【００１５】
車載ネットワーク１１に接続される車載機器として、制御器１２、操作器１３、および、表示器１４が挙げられる。このほかの車載機器として、各種のセンサなども挙げられる。
【００１６】
制御器１２は、ＣＰＵおよびメモリなどで構成された車載コンピュータである。制御器１２は、作業車１に搭載された装置などを制御する機能を有する。制御器１２の数は、１つに限定されない。制御器１２は、機能ごとに複数設けられてもよい。制御器１２として、例えば、移動式クレーンのクレーン装置を制御する制御器、移動式クレーンの車両駆動用のエンジンを制御する制御器、および、過負荷防止装置を構成する制御器が挙げられる。
【００１７】
操作器１３は、作業車１に搭載された装置などを操作するのに用いられるスイッチ、レバー、および、ペダルなどである。操作器１３は、作業車１の運転室などに設けられる。操作器１３の数は、特に限定されず、１つでもよいし複数でもよい。操作器１３として、例えば、クレーン装置を操作するのに用いられるレバー、車両走行を操作するのに用いられるアクセルペダル、ブレーキペダル、および、車両系スイッチが挙げられる。車両系スイッチには、サスペンションレベルの設定スイッチ、駆動の切り換えスイッチ、および、ステアリングモードの切り換えスイッチなどが含まれる。
【００１８】
表示器１４は、液晶ディスプレイなどで構成される。表示器１４は、作業車１の運転室などに設けられる。表示器１４の数は、特に限定されず、１つでもよいし複数でもよい。表示器１４として、例えば、過負荷防止装置のディスプレイおよび車両走行用のコンビネーションメータが挙げられる。
【００１９】
操作器１３は、車載ネットワーク１１を介して制御器１２と接続されている。作業員が操作器１３を操作すると、操作器１３から特定の操作信号が車載ネットワーク１１に出力される。操作信号は、車載ネットワーク１１を介して制御器１２に入力される。制御器１２は、操作信号に基づき作業車１に搭載された装置などを制御する。これにより、作業員が操作器１３を用いて作業車１を操作できる。
【００２０】
表示器１４は、車載ネットワーク１１を介して制御器１２と接続されている。制御器１２は、作業車１の各種情報を示す情報信号を車載ネットワーク１１に出力する。情報信号は、車載ネットワーク１１を介して表示器１４に入力される。表示器１４は、情報信号に基づき作業車１の各種情報を表示する。これにより、作業員は、表示器１４を通じて作業車１の状態を把握できる。
【００２１】
このように、車載ネットワーク１１に接続された複数の車載機器は、相互に信号を送受信して各種の制御および処理を行う。ここで、車載ネットワーク１１を介して送受信される信号を「車内信号」と称する。車内信号には、上述の操作信号、情報信号、および、その他の信号が含まれる。
【００２２】
車載ネットワーク１１には、作業車情報制御器１５が接続されている。作業車情報制御器１５は、ＣＰＵおよびメモリなどで構成された車載コンピュータである。作業車情報制御器１５は、少なくとも、後述の作業車識別文字列を送信する機能を有する。作業車情報制御器１５はこの機能のみを有してもよいし、この機能に加えて他の機能を有してもよい。制御器１２に作業車情報制御器１５としての機能を持たせてもよい。
【００２３】
作業車情報制御器１５には、予め作業車識別文字列が記憶されている。ここで、「作業車識別文字列」とは、作業車１を識別するのに用いられる文字列である。作業車識別文字列は、識別情報の一例に該当する。作業車識別文字列として、作業車１の製造番号、製品名、製品型式、スペック番号、車両識別番号（ＶＩＮ）、顧客番号、および、登録番号などが挙げられる。ここで、製造番号とは作業車１の製造時に付与される固有の番号（シリアルナンバー）である。製品名とは、作業車１のモデルを特定する名称である。製品型式とは、構造、装置、および、性能などが同一の製品に対して付与される記号である。スペック番号とは、製品を性能ごとにグルーピングし、各グループに付与される記号である。車両識別番号（ＶＩＮ）とは、作業車１の車両に付与される車両に固有の番号である。顧客番号とは、顧客が作業車１に対して任意に設定した番号である。登録番号とは、作業車１のナンバープレートの番号である。
【００２４】
（無線通信機）
次に、作業車１に設けられる無線通信機２の構成を説明する。
無線通信機２は、作業車１の車載ネットワーク１１に接続されている。作業車１が複数の車載ネットワーク１１を有する場合、無線通信機２を複数の車載ネットワーク１１に接続してもよい。なお、無線通信機２を作業車１が有する全ての車載ネットワーク１１に接続する必要はない。作業車１が有する複数の車載ネットワーク１１の一部に無線通信機２を接続してもよい。
【００２５】
無線通信機２は、車載ネットワーク１１に対して物理的に着脱可能であり、必要時にのみ車載ネットワーク１１に接続される。例えば、無線通信機２は、コネクタを有する。無線通信機２側のコネクタと車載ネットワーク１１側のコネクタとを着脱することで、無線通信機２を着脱できる。なお、無線通信機２を着脱不可能とし、車載ネットワーク１１に常に接続してもよい。つまり、無線通信機２は、作業車１に組み込まれた構成であってもよい。
【００２６】
無線通信機２に電力を供給する電源ラインとして、例えば、作業車１のアクセサリーラインを用いることができる。そうすれば、エンジン始動を行うキー操作によって、作業車１に搭載されたバッテリーの電力が無線通信機２に供給される。
【００２７】
無線通信機２は、信号処理部２１および通信制御部２２を備える。信号処理部２１および通信制御部２２はそれぞれ、電子回路などのハードウエアで構成されてもよいし、その機能の一部をソフトウエアで構成されてもよい。
【００２８】
信号処理部２１は、車載ネットワーク１１に接続される。信号処理部２１は、車載ネットワーク１１を介して種々の車載機器（制御器１２、操作器１３、表示器１４、および、作業車情報制御器１５）と信号の送受信を行う。
【００２９】
通信制御部２２は、携帯端末３との無線通信を制御する。通信制御部２２は、無線ＬＡＮ（Local Area Network）におけるアクセスポイントとしての機能を有する。通信制御部２２には、無線通信に用いられるネットワーク名（ＳＳＩＤ：Service Set Identifier）および暗号化キー（ネットワークキー）などが設定されている。
【００３０】
通信制御部２２と携帯端末３との間で通信を確立することで、無線通信機２と携帯端末３とが無線接続される。以下、無線通信機２と携帯端末３との間に確立されるネットワークを無線ネットワーク４と称する。
【００３１】
通信制御部２２は、携帯端末３との間で信号の送受信を行う。この際、通信制御部２２は、車載ネットワーク１１の通信プロトコルと無線ネットワーク４の通信プロトコルとの変換処理などを行う。
【００３２】
例えば、通信制御部２２は、信号処理部２１が車載ネットワーク１１から取得した車内信号を携帯端末３に送信する。また、通信制御部２２は、携帯端末３から受信した信号を、信号処理部２１を介して車載ネットワーク１１に出力する。
【００３３】
（携帯端末）
次に、携帯端末３の構成を説明する。
携帯端末３は、ＣＰＵおよびメモリなどで構成された汎用コンピュータである。携帯端末３は、無線通信の機能を有する。携帯端末３は、例えばパーソナルコンピュータ、タブレット端末、および、高機能携帯電話（スマートフォン）である。携帯端末３は、作業車１の運転室の外部に配置できる。携帯端末３は、表示部３１を有する。表示部３１は、液晶ディスプレイなどである。
【００３４】
携帯端末３には、作業車１との無線通信を利用したアプリケーションがインストールされている。この種のアプリケーションとして、受信した車内信号に基づいて作業車１の情報を表示する表示アプリケーションが挙げられる。作業車１の情報は、表示部３１に表示される。また、携帯端末３に作業車１を遠隔操作する操作アプリケーションをインストールしてもよい。作業員は、携帯端末３を操作し操作アプリケーションを実行することで、作業車１を遠隔操作できる。
【００３５】
（無線通信システムの動作）
次に、無線通信システムＡの動作を説明する。
無線通信システムＡは、携帯端末３との無線通信に用いられるネットワーク名として作業車識別文字列を用いるところに特徴を有する。以下、図２に示すフローチャートに基づいて、その詳細を説明する。
【００３６】
まず、無線通信機２の電源が投入される。例えば、作業車１のエンジン始動を行うキー操作によって、作業車１に搭載されたバッテリーの電力が無線通信機２に供給される。その後、無線通信機２はネットワーク名の設定処理を実行する。
【００３７】
通信制御部２２には、予めネットワーク名の自動設定を行うか否かが設定されている。この設定は、無線通信機２に設けられたスイッチ又はその他の選択手段により作業員が変更（選択）できる。作業員は、ネットワーク名として作業車識別文字列を使用したい場合、自動設定をＯＮにする（無線通信機２の第１モードともいう）。一方、作業員は、独自に定めたネットワーク名（換言すれば、無線通信機２に予め設定された第２文字列データ）を使用したい場合、自動設定をＯＦＦにする（無線通信機２の第２モードともいう）。
【００３８】
換言すれば、無線通信機２は、作業車情報制御器１５から取得した作業車識別文字列に基づいて生成した文字列（第１文字列データともいう。）をネットワーク名として使用する第１モードと、無線通信機２に予め設定された文字列（第２文字列データともいう。）をネットワーク名として使用する第２モードと、を有する。無線通信機２は、第１モードと第２モードとを選択可能な選択部（不図示）を有する。無線通信機２は、第１モードのみを有する構成でもよい。この場合、無線通信機２は、選択部を有していなくてもよい。
【００３９】
また、無線通信機２は、第１モードと第２モードとを、自動的に切り換えてもよい。具体的には、無線通信機２は、作業車１（具体的には、作業車情報制御器１５）から作業車識別文字列を受信できない場合に、第１モードから第２モードに自動的に切り換えてもよい。このような構成を採用した場合、上述の選択部は省略されてよい。
【００４０】
なお、第１文字列データは、一例として、作業車情報制御器１５から取得した作業車識別文字列のみのデータ、作業車情報制御器１５から取得した作業車識別文字列に他の文字列を付加した文字列のデータ、又は、作業車情報制御器１５から取得した作業車識別文字列から一部の文字列を除いた文字列のデータであってよい。通信制御部２２は、自動設定のＯＮ／ＯＦＦを確認する（ステップＳ１１）。
【００４１】
自動設定がＯＦＦの場合（ステップＳ１１でＮｏの場合）、無線通信機２は、ネットワーク名の設定処理を終了する。この場合、通信制御部２２は、予め設定されているネットワーク名を無線通信に用いる。
【００４２】
自動設定がＯＮの場合（ステップＳ１１でＹｅｓの場合）、信号処理部２１は、車載ネットワーク１１を介して作業車情報制御器１５に要求信号を送信する（ステップＳ１２）。ここで要求信号とは、作業車情報制御器１５に作業車識別文字列の送信を要求する信号である。信号処理部２１は、取得部の一例に該当する。
【００４３】
無線通信機２は、作業車識別文字列を取得する前、作業車情報制御器１５に向けて、作業車識別文字列の送信を要求するための要求信号を送信する。作業車情報制御器１５は、無線通信機２から要求信号を受信する。この場合、作業車情報制御器１５は、記憶されている作業車識別文字列（応答信号ともいう。）を、車載ネットワーク１１を介して無線通信機２に送信する。そうすると、信号処理部２１は、作業車情報制御器１５から作業車識別文字列を受信する（ステップＳ１３）。このようにして、無線通信機２は、車載ネットワーク１１を介して作業車情報制御器１５から作業車識別文字列を取得する。
【００４４】
信号処理部２１は、受信した作業車識別文字列を通信制御部２２に入力する。通信制御部２２は、入力された作業車識別文字列に基づいて新たなネットワーク名を生成する（ステップＳ１４）。一例として、新たなネットワーク名は作業車識別文字列を含む文字列であってよい。新たなネットワーク名は、作業車識別文字列そのものでもよいし、作業車識別文字列に他の文字列を付加したものでもよい。あるいは、新たなネットワーク名は、作業車識別文字列から一部の文字列を除いた文字列であってもよい。また、新たなネットワーク名は、作業員が、作業車をより識別し易いように、作業車識別文字列に基づいて生成された文字列であってもよい。なお、通信制御部２２は、生成部の一例に該当すると捉えてもよい。
【００４５】
次に、通信制御部２２は、生成された新たなネットワーク名と、現在設定されているネットワーク名とを比較する（ステップＳ１５）。例えば、無線通信機２を車載ネットワーク１１に接続した後、初めて無線通信機２の電源を投入した場合、両ネットワーク名は一致しない。無線通信機２を車載ネットワーク１１に接続した後、無線通信機２の電源の投入が２回目以降の場合、両ネットワーク名は一致する。
【００４６】
新たなネットワーク名と現在設定されているネットワーク名とが一致する場合（ステップＳ１５でＹｅｓの場合）、無線通信機２は、ネットワーク名の設定処理を終了する。
【００４７】
新たなネットワーク名と現在設定されているネットワーク名とが一致しない場合（ステップＳ１５でＮｏの場合）、通信制御部２２は、ネットワーク名として、新たなネットワーク名（作業車識別文字列を含む文字列）を設定する（ステップＳ１６）。通信制御部２２は、設定部の一例に該当すると捉えてもよい。
【００４８】
以上で説明したネットワーク名の設定処理の後、無線通信機２と携帯端末３とは、無線通信機２に設定されたネットワーク名を用いて無線通信を確立できる状態となる。この無線通信の確立は、例えば、次の手順で行われる。
【００４９】
通信制御部２２は、ビーコンを定期的にブロードキャスト送信する。ビーコンには、ネットワーク名など無線通信の確立に必要な各種情報が含まれる。携帯端末３は、電波をスキャンし、ビーコンを受信する。携帯端末３は、受信したビーコンからネットワーク名を取得し、表示部３１に表示する。ここで、携帯端末３は、複数種類のビーコン（複数のアクセスポイントから送信されたビーコン）を受信した場合には、複数のネットワーク名を表示部３１に表示する。
【００５０】
携帯端末３の使用者が一のネットワーク名を指定すると、携帯端末３は、そのネットワーク名に対応する通信制御部２２に対してプローブ要求を送信する。プローブ要求を受信した通信制御部２２は、携帯端末３に対してプローブ応答を送信する。これにより、通信制御部２２と携帯端末３との間で無線通信が確立される。
【００５１】
ここで、無線通信機２のネットワーク名には、作業車識別文字列が含まれる。一般に、携帯端末３の使用者は、作業車識別文字列、すなわち作業車１の製造番号などを知っている。そのため、使用者は、ネットワーク名を特に記憶していなくても、作業車識別文字列から接続すべきネットワークを判別できる。なお、作業車１は、一例として、製造番号、及び、製品型式などが記載された銘板（不図示）を有してよい。このような銘板は、車体の外面などユーザから視認し易い位置に設けられているとよい。無線通信機２のネットワーク名に用いられる作業車識別文字列は、銘板に記載された情報に関する文字列だと好ましい。
【００５２】
また、作業車識別文字列は、作業車１を識別する文字列であるから、使用者は、ネットワーク名からそれに対応する作業車１を特定できる。作業現場に複数の作業車１が存在する場合、携帯端末３の表示部３１には、複数のネットワーク名が表示される。この場合でも、ネットワーク名と作業車１との対応関係が明らかであり、使用者にとって目的の作業車１に対応するネットワーク名が分かりやすい。そのため、作業車１と携帯端末３との無線通信の設定が容易である。
【００５３】
無線通信機２は、作業車１に対して着脱可能であり、別の作業車１に搭載しなおすことがある。このような無線通信機２は、コネクタ（不図示）を介して作業車１に着脱可能な無線ユニットであってよい。このような作業車１に対して着脱可能な無線通信機２の場合、無線通信機２のネットワーク名は、無線通信機２が新たに搭載された作業車１の作業車識別文字列に基づいて生成された文字列（換言すれば、第１文字列データ）に自動変更される。そのため、作業員が特別の操作をしなくても、無線通信機２のネットワーク名と作業車１との対応関係を維持できる。
【００５４】
なお、本実施形態に係る無線通信機２は、無線通信機２の第１モードに対応していない作業車に接続して使用することもできる。この場合には、無線通信機２に予め設定されたネットワーク名を使用する第２モードで、無線通信機２を使用すればよい。
【００５５】
無線通信機２は、上述の要求信号を送信してから所定時間が経過した後、応答信号を受信しない場合には、無線通信に用いるネットワーク名として、無線通信機２に予め設定されたネットワーク名を設定してよい。このような構成を採用すれば、本実施形態に係る無線通信機２を、第１モードに対応していない作業車に接続して使用できる。
【００５６】
なお、作業車１と携帯端末３との間で無線通信が確立された後、この無線通信を利用して種々の処理を行うことができる。例えば、無線通信機２は、車載ネットワーク１１を流れる車内信号を携帯端末３に送信する。携帯端末３は、車内信号に基づいて作業車１の情報を表示する。そうすれば、携帯端末３で作業車１の情報を確認できる。携帯端末３を表示器１４の代替手段として用いることができる。
【００５７】
また、使用者が携帯端末３を操作すると、携帯端末３から操作信号が送信される。無線通信機２は、操作信号を車載ネットワーク１１に出力する。車載ネットワーク１１に接続された車載機器は、その操作信号に基づいて処理を行う。携帯端末３を用いて作業車１を遠隔操作できる。携帯端末３を操作器１３の代替手段として用いることができる。
【００５８】
〔第２実施形態〕
次に、本発明の第２実施形態に係る無線通信システムを説明する。本実施形態の無線通信システムの構成は第１実施形態の無線通信システムＡと同様であるので、説明を省略する（図１参照）。
【００５９】
本実施形態の無線通信機２が実行するネットワーク名の設定処理を、図３に示すフローチャートに基づいて説明する。
まず、通信制御部２２は、自動設定のＯＮ／ＯＦＦを確認する（ステップＳ２１）。自動設定がＯＦＦの場合、無線通信機２は、ネットワーク名の設定処理を終了する。この場合、通信制御部２２は、予め設定されているネットワーク名を無線通信に用いる。
【００６０】
自動設定がＯＮの場合、信号処理部２１は、車載ネットワーク１１の作業車情報制御器１５から作業車識別文字列を取得する（ステップＳ２２）。本実施形態の場合、作業車情報制御器１５は、定期的に作業車識別文字列を車載ネットワーク１１に出力している。つまり、信号処理部２１は、作業車情報制御器１５から定期的に出力された作業車識別文字列を取得する。なお、無線通信機２は、無線通信機２の電源がＯＮ状態になってから所定時間が経過した後、作業車識別文字列を取得できていない場合には、無線通信機２に予め設定された文字列（換言すれば、第２文字列データ）を、無線通信に用いるネットワーク名として設定してもよい。
【００６１】
本実施形態において、信号処理部２１は、作業車情報制御器１５に要求信号を送信する必要がない。また、作業車情報制御器１５は、要求信号に基づく処理を行う必要がない。したがって、車載ネットワーク１１の通信が、作業車情報制御器１５から信号処理部２１に向かう単方向通信であったとしても、信号処理部２１は作業車識別文字列を取得できる。
【００６２】
その後のステップＳ２３、ステップＳ２４、および、ステップＳ２５の処理は、第１実施形態におけるステップＳ１４、ステップＳ１５、および、ステップＳ１６の処理と同一である。
【００６３】
（付記）
参考例１に係る無線通信システムは、
車載ネットワークを有する作業車と、
上記車載ネットワークに接続された作業車情報制御器と、
上記車載ネットワークに接続された無線通信機と、
上記無線通信機と無線接続される携帯端末と、を備える。
また、上記第１例に係る無線通信システムの場合、上記作業車情報制御器には上記作業車を識別する作業車識別文字列が記憶されている。また、上記無線通信機は、上記車載ネットワークを介して上記作業車情報制御器から上記作業車識別文字列を取得する。そして、上記無線通信機は、上記携帯端末との無線通信に用いられるネットワーク名として上記作業車識別文字列を含む文字列を設定する。
【００６４】
また、参考例２に係る無線通信システムは、参考例１に係る無線通信システムにおいて、
上記無線通信機は、
上記作業車情報制御器に要求信号を送信し、
上記作業車情報制御器から上記作業車識別文字列を受信した場合に、上記ネットワーク名として上記作業車識別文字列を含む文字列を設定し、
上記作業車情報制御器は、
上記無線通信機から前記要求信号を受信した場合に、上記作業車識別文字列を上記無線通信機に送信する。
【００６５】
また、参考例３に係る無線通信システムは、参考例１に係る無線通信システムにおいて、
上記作業車情報制御器は、上記作業車識別文字列を上記車載ネットワークに出力し、上記無線通信機は、上記車載ネットワークから上記作業車識別文字列を取得し、上記ネットワーク名として上記作業車識別文字列を含む文字列を設定する。
【００６６】
２０１８年１月２６日出願の特願２０１８−０１１０７８の日本出願に含まれる明細書、図面および要約書の開示内容は、すべて本願に援用される。
【符号の説明】
【００６７】
Ａ  無線通信システム
１    作業車
１１  車載ネットワーク
１５  作業車情報制御器
２    無線通信機
２１  信号処理部
２２  通信制御部
３    携帯端末
【図１】
2019146679.tif 000003
【図２】
2019146679.tif 000004
【図３】
2019146679.tif 000005
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
無線通信機であって、
作業車と携帯端末とを無線接続する通信制御部と、
前記作業車の車載ネットワークに接続され、前記作業車を識別するための作業車識別情報を、前記作業車から取得する取得部と、
前記作業車識別情報に基づいて第１文字列データを生成する生成部と、
生成された前記第１文字列データをネットワーク名として前記通信制御部に設定する設定部と、
前記無線通信機を識別するための第２文字列データを記憶する記憶部と、
生成された前記第１文字列データを前記ネットワーク名として前記通信制御部に設定する第１モードと、記憶された前記第２文字列データを前記ネットワーク名として前記通信制御部に設定する第２モードと、を選択可能な選択部と、を備え、
前記設定部は、前記選択部において前記第１モードが選択されている場合に、生成された前記第１文字列データを前記ネットワーク名として前記通信制御部に設定する、
無線通信機。
【請求項２】
作業車と携帯端末とを無線接続する通信制御部と、
前記作業車の車載ネットワークに接続され、前記作業車を識別するための作業車識別情報を、前記作業車の始動後に前記作業車から取得する取得部と、
取得された前記作業車識別情報に基づいて第１文字列データを生成する生成部と、
生成された前記第１文字列データが、すでに前記通信制御部に設定されたネットワーク名と異なる場合に、生成された前記第１文字列データをネットワーク名として前記通信制御部に設定する設定部と、を備える無線通信機。
【請求項３】
前記作業車にコネクタを介して着脱可能に接続される無線ユニットである、請求項１または２に記載の無線通信機。
【請求項４】
前記取得部は、前記作業車識別情報を取得する前、前記車載ネットワークを介して前記作業車の作業車情報制御器に、前記作業車識別情報の送信を要求するための要求信号を送信する、請求項１〜３の何れか一項に記載の無線通信機。
【請求項５】
前記取得部は、前記作業車の作業車情報制御器から前記車載ネットワークに定期的に送信される前記作業車識別情報を取得する、請求項１〜３の何れか一項に記載の無線通信機。
【請求項６】
前記通信制御部は、前記設定部により前記ネットワーク名が設定された後、設定された前記ネットワーク名を含む情報を、前記携帯端末が受信可能な情報として、定期的にブロードキャストする、請求項１〜５の何れか一項に記載の無線通信機。
【請求項７】
車載ネットワークと、前記車載ネットワークに接続され、作業車を識別するための作業車識別情報を記憶する記憶部と、を有する作業車本体と、
請求項１〜６の何れか一項に記載の無線通信機と、を備える作業車。
【請求項８】
請求項７に記載の作業車と、
前記無線通信機を介して、前記作業車に無線接続される携帯端末と、を備える作業車の無線通信システム。
【国際調査報告】
2019146679.tif 000006
2019146679.tif 000007
2019146679.tif 000008
2019146679.tif 000009